(57)【要約】  本願の実施例はデータ伝送方法、端末装置及びネットワーク装置を提供し、複数のＢＷＰがある場合でのＳＦＩの設定を実現でき、該方法は、端末装置がネットワーク装置から送信された設定情報を受信し、前記設定情報は、前記端末装置に対して設定した複数の帯域幅部分（ＢＷＰ）に、それぞれ対応するスロットフォーマットインジケータ（ＳＦＩ）を設定することに用いられることと、前記端末装置は前記設定情報に基づいて、現在使用されているターゲットＳＦＩを確定することと、前記端末装置は前記ターゲットＳＦＩに基づいてデータ伝送を行うことと、を含む。
2021510945.tif 000002
【特許請求の範囲】
【請求項１】
端末装置はネットワーク装置から送信された設定情報を受信し、前記設定情報は、前記端末装置に対して設定した複数の帯域幅部分（ＢＷＰ）に、それぞれ対応するスロットフォーマットインジケータ（ＳＦＩ）を設定することに用いられることと、
前記端末装置は前記設定情報に基づいて、現在使用されているターゲットＳＦＩを確定することと、
前記端末装置は前記ターゲットＳＦＩに基づいてデータ伝送を行うことと、を含むことを特徴とするデータ伝送方法。
【請求項２】
前記端末装置が前記設定情報に基づいて、現在使用されているターゲットＳＦＩを確定することは、
前記端末装置が、前記ネットワーク装置が現在アクティベーションしているＢＷＰに対応するＳＦＩを前記ターゲットＳＦＩとして確定することを含むことを特徴とする請求項１に記載の方法。
【請求項３】
前記ターゲットＳＦＩは１つのスロットにおけるスロットフォーマットを指示することに用いられることを特徴とする請求項１又は２に記載の方法。
【請求項４】
前記端末装置が前記ターゲットＳＦＩに基づいてデータ伝送を行うことは、
前記端末装置が、各スロット内に前記ターゲットＳＦＩに基づいて、データ伝送を行うことを含むことを特徴とする請求項３に記載の方法。
【請求項５】
前記ターゲットＳＦＩはＮ個のスロットのそれぞれのスロットフォーマットを指示することに用いられ、前記Ｎは１よりも大きい正の整数であることを特徴とする請求項１又は２に記載の方法。
【請求項６】
前記端末装置が前記ターゲットＳＦＩに基づいてデータ伝送を行うことは、
前記端末装置が、Ｎ個のスロットごとにおいて、前記Ｎ個のスロットのそれぞれに対応するスロットフォーマットに基づいてデータ伝送を行うことを含むことを特徴とする請求項５に記載の方法。
【請求項７】
前記端末装置がネットワーク装置から送信された設定情報を受信することは、
前記端末装置が前記ネットワーク装置から送信された、前記設定情報を含む無線リソース制御（ＲＲＣ）シグナリングを受信することを含むことを特徴とする請求項１〜６のいずれか一項に記載の方法。
【請求項８】
ネットワーク装置は、端末装置に対して設定した複数の帯域幅部分（ＢＷＰ）に、それぞれ対応するスロットフォーマットインジケータ（ＳＦＩ）を確定し、前記ＳＦＩは少なくとも１つのスロットにおけるスロットフォーマットを指示することに用いられることと、
前記ネットワーク装置は設定情報を前記端末装置に送信し、前記設定情報は複数のＢＷＰに、それぞれ対応するＳＦＩを設定することに用いられることと、を含むことを特徴とするデータ伝送方法。
【請求項９】
前記ネットワーク装置が設定情報を前記端末装置に送信することは、
前記ネットワーク装置が、前記設定情報を含む無線リソース制御（ＲＲＣ）シグナリングを前記端末装置に送信することを含むことを特徴とする請求項８に記載の方法。
【請求項１０】
端末装置であって、
ネットワーク装置から送信された設定情報を受信することに用いられ、前記設定情報は、前記端末装置に対して設定した複数の帯域幅部分（ＢＷＰ）に、それぞれ対応するスロットフォーマットインジケータ（ＳＦＩ）を設定することに用いられる通信モジュールと、
前記設定情報に基づいて、現在使用されているターゲットＳＦＩを確定することに用いられる確定モジュールと、を備え、
前記通信モジュールは更に、前記ターゲットＳＦＩに基づいてデータ伝送を行うことに用いられることを特徴とする端末装置。
【請求項１１】
前記確定モジュールは具体的に、
前記ネットワーク装置が現在アクティベーションしているＢＷＰに対応するＳＦＩを前記ターゲットＳＦＩとして確定することに用いられることを特徴とする請求項１０に記載の端末装置。
【請求項１２】
前記ターゲットＳＦＩは１つのスロットにおけるスロットフォーマットを指示することに用いられることを特徴とする請求項１０又は１１に記載の端末装置。
【請求項１３】
前記通信モジュールは更に、
前記端末装置が、各スロット内に前記ターゲットＳＦＩに基づいて、データ伝送を行うことに用いられることを特徴とする請求項１２に記載の端末装置。
【請求項１４】
前記ターゲットＳＦＩはＮ個のスロットのそれぞれのスロットフォーマットを指示することに用いられ、前記Ｎは１よりも大きい正の整数であることを特徴とする請求項１０又は１１に記載の端末装置。
【請求項１５】
前記通信モジュールは更に、
Ｎ個のスロットごとにおいて、前記Ｎ個のスロットのそれぞれに対応するスロットフォーマットに基づいてデータ伝送を行うことに用いられることを特徴とする請求項１４に記載の端末装置。
【請求項１６】
前記通信モジュールは具体的に、
前記ネットワーク装置から送信された、前記設定情報を含む無線リソース制御（ＲＲＣ）シグナリングを受信することに用いられることを特徴とする請求項１０〜１５のいずれか一項に記載の端末装置。
【請求項１７】
ネットワーク装置であって、
端末装置に対して設定した複数の帯域幅部分（ＢＷＰ）にそれぞれ対応するスロットフォーマットインジケータ（ＳＦＩ）を確定することに用いられ、前記ＳＦＩは少なくとも１つのスロットにおけるスロットフォーマットを指示することに用いられる確定モジュールと、
前記端末装置に設定情報を送信することに用いられ、前記設定情報は複数のＢＷＰに、それぞれ対応するＳＦＩを設定することに用いられる通信モジュールと、を備えることを特徴とするネットワーク装置。
【請求項１８】
前記通信モジュールは具体的に、
前記設定情報を含む無線リソース制御（ＲＲＣ）シグナリングを前記端末装置に送信することに用いられることを特徴とする請求項１７に記載のネットワーク装置。
【発明の詳細な説明】
【技術分野】
【０００１】
本願は通信分野に関し、より具体的に、データ伝送方法、端末装置及びネットワーク装置に関する。
【背景技術】
【０００２】
新無線（Ｎｅｗ  Ｒａｄｉｏ、ＮＲ）システムでは、スロット（ｓｌｏｔ）又はシンボルをスケジューリング単位とし、各スロットはＸ個のシンボルを含み、例えばＸ＝１４であり、１つのスロットでは、ダウンリンク（Ｄｏｗｎ  Ｌｉｎｋ、ＤＬ）シンボル、アップリンク（Ｕｐ  Ｌｉｎｋ、ＵＬ）シンボル、予約（ｒｅｓｅｒｖｅｄ）シンボル及び不明な（ｕｎｋｎｏｗｎ）シンボルを有してもよく、予約シンボルはアップリンク又はダウンリンク伝送用のものではなく、不明なシンボルは動的シグナリングによってアップリンクシンボル又はダウンリンクシンボルに変更してアップリンク又はダウンリンク伝送に用いられることができる。具体的なスロットフォーマットはスロットフォーマットインジケータ（Ｓｌｏｔ  Ｆｏｒｍａｔ  Ｉｎｄｉｃａｔｏｒ、ＳＦＩ）で指示されてもよく、例えば、基地局はグループ共通物理ダウンリンク制御チャネル（ｇｒｏｕｐ  ｃｏｍｍｏｎ  ＰＤＣＣＨ）でＳＦＩを送信して、使用するスロットフォーマットを端末装置に通知してもよい。
【０００３】
ＮＲシステムについての検討では、ＮＲシステムのサポートするシステム帯域幅がロングタームエボリューション（Ｌｏｎｇ  Ｔｅｒｍ  Ｅｖｏｌｕｔｉｏｎ、ＬＴＥ）システムのシステム帯域幅よりも遥かに大きいことを見出した。しかしながら、端末装置によっては、その能力が限られているため、すべてのシステム帯域幅をサポートできず、従って、ＮＲシステムに帯域幅部分（Ｂａｎｄｗｉｄｔｈ  Ｐａｒｔ、ＢＷＰ）の概念が導入され、各ＢＷＰの帯域幅が最大システム帯域幅以下である。ネットワーク装置は端末装置に複数のＢＷＰを設定でき、この場合、ＳＦＩの設定をどのように行うかは解決を急ぐべき課題となっている。
【発明の概要】
【発明が解決しようとする課題】
【０００４】
本願の実施例では、ＢＷＰに基づいて、使用されるＳＦＩを確定でき、それにより前記ＳＦＩに基づいてデータ伝送を行うことができるデータ伝送方法、端末装置及びネットワーク装置を提供する。
【課題を解決するための手段】
【０００５】
第１態様によれば、データ伝送方法を提供し、
端末装置はネットワーク装置から送信された設定情報を受信し、前記設定情報は、前記端末装置に対して設定した複数の帯域幅部分（ＢＷＰ）に、それぞれ対応するスロットフォーマットインジケータ（ＳＦＩ）を設定することに用いられることと、
前記端末装置は前記設定情報に基づいて、現在使用されているターゲットＳＦＩを確定することと、
前記端末装置は前記ターゲットＳＦＩに基づいてデータ伝送を行うことと、を含む。
【０００６】
従って、本願の実施例に係るデータ伝送方法によれば、ネットワーク装置は端末装置に対して設定した複数のＢＷＰに、それぞれ対応するＳＦＩを設定することができ、それにより前記端末装置は現在アクティベーションされているＢＷＰに基づいて、該ＢＷＰに対応するＳＦＩを確定でき、それにより該ＳＦＩに基づいてデータ伝送を行うことができる。
【０００７】
選択肢として、本願の実施例では、前記設定情報はＢＷＰとＳＦＩとの対応関係を指示することに用いられてもよく、例えば、該対応関係では、１つのＢＷＰが１つのＳＦＩに対応してもよく、又は１つのＢＷＰが複数のＳＦＩに対応してもよく、又は複数のＢＷＰが同一のＳＦＩに対応してもよく、本願の実施例ではそれを限定しない。
【０００８】
本願の実施例では、前記ネットワーク装置は１つのシグナリングによって前記端末装置に、前記複数のＢＷＰにそれぞれ対応するＳＦＩを設定してもよく、複数のシグナリングによって前記端末装置に、前記複数のＢＷＰにそれぞれ対応するＳＦＩを設定してもよく、本願の実施例ではそれを限定しない。
【０００９】
選択肢として、本願の実施例では、前記ＳＦＩはビットマップ（ｂｉｔｍａｐ）フォーマットであってもよく、即ち、前記ＳＦＩは１つのスロット又は複数のスロットにおける各シンボルのシンボルタイプを指示することに用いられ、又は、前記ＳＦＩは１つ又は複数のスロットにおける各スロットに含まれるアップリンクシンボルの数及びダウンリンクシンボルの数を指示することに用いられてもよく、又は、前記ＳＦＩは１つのスロットフォーマットインデックスであってもよく、前記スロットフォーマットインデックスは１つのスロットにおけるスロットフォーマットを指示することに用いられ、前記スロットフォーマットインデックスは１つの事前定義された又はネットワークによって設定されたスロットフォーマットテーブル由来であってもよく、又は、前記ＳＦＩは他の指示方式で１つのスロット又は複数のスロットにおける各スロットのスロットフォーマットを指示してもよく、本願の実施例では前記ＳＦＩの具体的な指示方式を限定しない。
【００１０】
第１態様において、第１態様のいくつかの可能な実施形態では、前記端末装置が前記設定情報に基づいて、現在使用されているターゲットＳＦＩを確定することは、
前記端末装置が、前記ネットワーク装置が現在アクティベーションしているＢＷＰに対応するＳＦＩを前記ターゲットＳＦＩとして確定することを含む。
【００１１】
第１態様において、第１態様のいくつかの可能な実施形態では、前記ターゲットＳＦＩは１つのスロットにおけるスロットフォーマットを指示することに用いられる。
【００１２】
第１態様において、第１態様のいくつかの可能な実施形態では、前記端末装置が前記ターゲットＳＦＩに基づいてデータ伝送を行うことは、
前記端末装置が、各スロット内に前記ターゲットＳＦＩに基づいて、データ伝送を行うことを含む。
【００１３】
第１態様において、第１態様のいくつかの可能な実施形態では、前記ターゲットＳＦＩはＮ個のスロットのそれぞれのスロットフォーマットを指示することに用いられ、前記Ｎは１よりも大きい正の整数である。
【００１４】
第１態様において、第１態様のいくつかの可能な実施形態では、前記端末装置が前記ターゲットＳＦＩに基づいてデータ伝送を行うことは、
前記端末装置が、Ｎ個のスロットごとにおいて、前記Ｎ個のスロットのそれぞれに対応するスロットフォーマットに基づいてデータ伝送を行うことを含む。
【００１５】
第１態様において、第１態様のいくつかの可能な実施形態では、前記端末装置がネットワーク装置から送信された設定情報を受信することは、
前記端末装置が前記ネットワーク装置から送信された、前記設定情報を含む無線リソース制御（ＲＲＣ）シグナリングを受信することを含む。
【００１６】
前記ネットワーク装置は従来のシグナリングによって前記端末装置に前記設定情報を送信してもよく、例えば、前記ネットワーク装置は前記設定情報を従来のダウンリンクＲＲＣメッセージに含めてもよく、又は前記ネットワーク装置は追加されたシグナリングによって前記端末装置に前記設定情報を送信してもよく、例えば、専用シグナリングを追加して前記端末装置に対して前記複数のＢＷＰに対応するＳＦＩを設定してもよい。
【００１７】
選択肢として、本願の実施例では、前記ネットワーク装置はあるＢＷＰをアクティベーションする時、該ＢＷＰに対応するＳＦＩを端末装置に送信してもよく、即ち、前記ネットワーク装置はＢＷＰに対応するＳＦＩをＢＷＰアクティベーション用のシグナリングに含めてもよい。
【００１８】
第２態様によれば、データ伝送方法を提供し、
ネットワーク装置は、端末装置に対して設定した複数の帯域幅部分（ＢＷＰ）に、それぞれ対応するスロットフォーマットインジケータ（ＳＦＩ）を確定し、前記ＳＦＩは少なくとも１つのスロットにおけるスロットフォーマットを指示することに用いられることと、
前記ネットワーク装置は設定情報を前記端末装置に送信し、前記設定情報は複数のＢＷＰに、それぞれ対応するＳＦＩを設定することに用いられることと、を含む。
【００１９】
第２態様において、第２態様のいくつかの可能な実施形態では、前記ネットワーク装置が設定情報を前記端末装置に送信することは、
前記ネットワーク装置が、前記設定情報を含む無線リソース制御（ＲＲＣ）シグナリングを前記端末装置に送信することを含む。
【００２０】
第３態様によれば、端末装置を提供し、上記第１態様又は第１態様の可能な実施形態のいずれかに記載の方法を実行することに用いられる。具体的に、該端末装置は上記第１態様又は第１態様の可能な実施形態のいずれかに記載の方法を実行することに用いられるユニットを備える。
【００２１】
第４態様によれば、ネットワーク装置を提供し、上記第２態様又は第２態様の可能な実施形態のいずれかに記載の方法を実行することに用いられる。具体的に、該ネットワーク装置は上記第２態様又は第２態様の可能な実施形態のいずれかに記載の方法を実行することに用いられるユニットを備える。
【００２２】
第５態様によれば、端末装置を提供し、メモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第１態様又は第１態様の可能な実施形態のいずれかに記載の方法を実行することに用いられる。
【００２３】
第６態様によれば、ネットワーク装置を提供し、メモリ、プロセッサ、入力インタフェース及び出力インタフェースを備える。メモリ、プロセッサ、入力インタフェース及び出力インタフェースはバスシステムによって接続される。該メモリは命令を記憶することに用いられ、該プロセッサは該メモリに記憶される命令を実行し、上記第２態様又は第２態様の可能な実施形態のいずれかに記載の方法を実行することに用いられる。
【００２４】
第７態様によれば、コンピュータ記憶媒体を提供し、上記第１態様又は第１態様の可能な実施形態のいずれかに記載の方法を実行するためのコンピュータソフトウェア命令を記憶することに用いられ、上記態様を実行するために設計されるプログラムを含む。
【００２５】
第８態様によれば、コンピュータ記憶媒体を提供し、上記第２態様又は第２態様の可能な実施形態のいずれかに記載の方法を実行するためのコンピュータソフトウェア命令を記憶することに用いられ、上記態様を実行するために設計されるプログラムを含む。
【００２６】
第９態様によれば、命令を含むコンピュータプログラム製品を提供し、コンピュータによって実行されると、コンピュータに上記第１態様又は第１態様の実施形態のいずれかに記載の方法を実行させる。
【００２７】
第１０態様によれば、命令を含むコンピュータプログラム製品を提供し、コンピュータによって実行されると、コンピュータに上記第２態様又は第２態様の実施形態のいずれかに記載の方法を実行させる。
【図面の簡単な説明】
【００２８】
【図１】図１は本願の実施例に係る通信システムの模式図である。
【図２】図２は本願の実施例に係るデータ伝送方法の模式的なフローチャートである。
【図３】図３は異なるＢＷＰが異なるＳＦＩに対応する一例の模式図である。
【図４】図４は異なるＢＷＰが異なるＳＦＩに対応する他の例の模式図である。
【図５】図５は本願の他の実施例に係るデータ伝送方法の模式的なフローチャートである。
【図６】図６は本願の実施例に係る端末装置の模式的なブロック図である。
【図７】図７は本願の実施例に係るネットワーク装置の模式的なブロック図である。
【図８】図８は本願の他の実施例に係る端末装置の模式的なブロック図である。
【図９】図９は本願の他の実施例に係るネットワーク装置の模式的なブロック図である。
【発明を実施するための形態】
【００２９】
以下、本願の実施例の図面を参照して、本願の実施例の技術案を説明する。
【００３０】
本願の実施例に係る技術案は、例えば、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム等の各種の通信システムに適用できる。
【００３１】
図１は本願の実施例に適用される無線通信システム１００を示す。該無線通信システム１００はネットワーク装置１１０を含み得る。ネットワーク装置１００は端末装置と通信する装置であり得る。ネットワーク装置１００は特定の地理的エリアに通信カバレッジを提供し、且つ該カバレッジエリア内に位置する端末装置（例えば、ＵＥ）と通信可能である。選択肢として、該ネットワーク装置１００は、ＬＴＥシステムにおける発展型基地局（Ｅｖｏｌｕｔｉｏｎａｌ  Ｎｏｄｅ  Ｂ、ｅＮＢ又はｅＮｏｄｅＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク装置は中継局、アクセスポイント、車載装置、ウェアラブル装置、将来の５Ｇネットワークにおけるネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【００３２】
該無線通信システム１００は、ネットワーク装置１１０のカバレッジエリア内に位置する少なくとも１つの端末装置１２０を更に備える。端末装置１２０は移動型又は固定型である。選択肢として、端末装置１２０はアクセス端末、ユーザー装置（Ｕｓｅｒ  Ｅｑｕｉｐｍｅｎｔ、ＵＥ）、ユーザーユニット、ユーザー局、移動局、移動ステーション、遠隔局、遠隔端末、移動装置、ユーザー端末、端末、無線通信装置、ユーザーエージェント又はユーザーデバイスであってもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続される他の処理装置、車載装置、ウェアラブル装置、将来の５Ｇネットワークにおける端末装置又は将来の発展型ＰＬＭＮにおける端末装置等であってもよい。
【００３３】
選択肢として、５Ｇシステム又はネットワークは新無線（Ｎｅｗ  Ｒａｄｉｏ、ＮＲ）システム又はネットワークとも呼ばれてもよい。
【００３４】
図１は１つのネットワーク装置及び２つの端末装置を例示し、選択肢として、該無線通信システム１００は複数のネットワーク装置を備えてもよく、各ネットワーク装置のカバレッジエリア内に他の数の端末装置を備えてもよく、本願の実施例ではそれを限定しない。
【００３５】
選択肢として、該無線通信システム１００はネットワークコントローラ、モビリティ管理エンティティ等の他のネットワークエンティティを更に備えてもよく、本願の実施例ではそれを限定しない。
【００３６】
本願の実施例では、ネットワーク装置によって端末装置に設定されるＢＷＰは下記１〜３のうちの少なくとも１つを含んでもよい。
【００３７】
１、キャリア間隔を識別するための基本ヌメロロジー、
２、中心周波数点、
３、最大システム帯域幅以下の帯域幅。
【００３８】
以上から分かるように、ＢＷＰは周波数領域次元の概念であり、端末装置は１つの時点に１つのアクティベーションされたＢＷＰをサポートでき、即ち、端末装置はアクティベーションされたＢＷＰによって規定される帯域幅でデータを伝送し、例えば、制御シグナリング、アップリンク／ダウンリンクデータの伝送又はシステムメッセージの受信等を行うことが望まれている。
【００３９】
本願の実施例では、前記端末装置には複数のＢＷＰが設定され、ネットワーク装置がそのうちのあるＢＷＰをアクティベーションすると、端末装置は該ＢＷＰに対応する周波数領域リソースに基づいてデータ伝送を行うことができ、また、端末装置がどの時間領域リソースを使用してデータ伝送を行うかは、研究する必要がある課題である。
【００４０】
上記事情に鑑みて、本願の実施例はデータ伝送方法を提供し、ＢＷＰに基づいて、使用されるＳＦＩを確定でき、それにより前記ＳＦＩで指示される時間領域リソースでデータ伝送を行うことができる。
【００４１】
図２は本願の実施例に係るデータ伝送方法の模式的なフローチャートであり、該方法２００は図１に示される通信システムにおける端末装置によって実行されてもよく、図２に示すように、該方法２００は、
端末装置がネットワーク装置から送信された設定情報を受信し、前記設定情報は、前記端末装置に対して設定した複数の帯域幅部分（ＢＷＰ）に、それぞれ対応するスロットフォーマットインジケータ（ＳＦＩ）を設定することに用いられるＳ２１０と、
前記端末装置は前記設定情報に基づいて、現在使用されているターゲットＳＦＩを確定するＳ２２０と、
前記端末装置は前記ターゲットＳＦＩに基づいてデータ伝送を行うＳ２３０と、を含む。
【００４２】
本願の実施例では、ネットワーク装置は端末装置の複数のＢＷＰに、それぞれ対応するＳＦＩを設定でき、即ち、端末装置に対して設定した複数のＢＷＰはそれぞれ独立するＳＦＩに対応でき、このように、ネットワーク装置があるＢＷＰをアクティベーションするとき、前記端末装置は該ＢＷＰに対応するＳＦＩを確定でき、それにより該ＢＷＰに対応するＳＦＩでデータ伝送を行うことができる。
【００４３】
選択肢として、本願の実施例では、前記設定情報はＢＷＰとＳＦＩとの対応関係を指示することに用いられてもよく、例えば、該対応関係では、１つのＢＷＰが１つのＳＦＩに対応してもよく、又は１つのＢＷＰが複数のＳＦＩに対応してもよく、又は複数のＢＷＰが同一のＳＦＩに対応してもよく、本願の実施例ではそれを限定しない。
【００４４】
選択肢として、いくつかの実施例では、Ｓ２１０は、
前記端末装置が前記ネットワーク装置から送信された、前記設定情報を含む無線リソース制御（ＲＲＣ）シグナリングを受信することを含んでもよい。
【００４５】
即ち、前記ネットワーク装置は無線リソース制御（Ｒａｄｉｏ  Ｒｅｓｏｕｒｃｅ  Ｃｏｎｔｒｏｌ、ＲＲＣ）シグナリングによって、前記複数のＢＷＰに対応するＳＦＩを半静的に設定し、前記端末装置は該設定情報を取得した後、現在アクティベーションされているＢＷＰに基づいて、該ＢＷＰに対応するＳＦＩをターゲットＳＦＩとして確定し、それにより該ターゲットＳＦＩでデータ伝送を行うことができる。
【００４６】
なお、本願の実施例では、前記ネットワーク装置は１つのシグナリングによって前記端末装置に対して、前記複数のＢＷＰにそれぞれ対応するＳＦＩを設定してもよく、複数のシグナリングによって前記端末装置に対して、前記複数のＢＷＰにそれぞれ対応するＳＦＩを設定してもよく、本願の実施例ではそれを限定しない。
【００４７】
なお、前記ネットワーク装置は従来のシグナリングによって前記端末装置に前記設定情報を送信してもよく、例えば、前記ネットワーク装置は前記設定情報を従来のダウンリンクＲＲＣメッセージに含めてもよく、又は前記ネットワーク装置は追加されたシグナリングによって前記端末装置に前記設定情報を送信してもよく、例えば、専用シグナリングを追加して前記端末装置に対して前記複数のＢＷＰに対応するＳＦＩを設定してもよい。
【００４８】
選択肢として、本願の実施例では、前記ネットワーク装置はあるＢＷＰをアクティベーションする時、該ＢＷＰに対応するＳＦＩを端末装置に送信してもよく、即ち、前記ネットワーク装置はＢＷＰに対応するＳＦＩをＢＷＰアクティベーション用のシグナリングに含めてもよく、端末装置は該シグナリングを受信した後、ネットワーク装置が該ＢＷＰをアクティベーションしたことを把握するとともに、該シグナリングから該ＢＷＰに対応するＳＦＩを取得し、それにより該ＳＦＩでデータ伝送を行うことができる。
【００４９】
本願の実施例では、各ＢＷＰに対応するＳＦＩは１つのスロットにおけるスロットフォーマットを指示することに用いられてもよく、複数のスロットのそれぞれのスロットフォーマットを指示することに用いられてもよい。
【００５０】
具体的に、ＳＦＩは１つのスロットにおけるスロットフォーマットを指示することに用いられる場合、前記端末装置は、各スロット内に前記ＳＦＩに基づいて、データ伝送を行うことができ、又は、前記ＳＦＩは複数の（例えば、Ｎ個であり、Ｎは１よりも大きい正の整数である）スロットのそれぞれのスロットフォーマットを指示することに用いられ、即ち、Ｎ個のスロットごとに、同一のスロットフォーマットを繰り返す場合、スロット（ｋＮ）のスロットフォーマットが同じであり、スロット（ｋＮ＋１）のスロットフォーマットが同じであり、スロット（ｋＮ＋２）のスロットフォーマットが同じであり、以下同様であり、ここで、ｋは０、１、２、…であり、従って、前記端末装置はＮ個のスロットを周期とし、各周期内に、前記Ｎ個のスロットのそれぞれに対応するスロットフォーマットに基づいてデータ伝送を行うことができる。
【００５１】
選択肢として、本願の実施例では、前記ＳＦＩはビットマップ（ｂｉｔｍａｐ）フォーマットであってもよく、即ち、前記ＳＦＩは１つのスロット又は複数のスロットにおける各シンボルのシンボルタイプを指示することに用いられ、又は、前記ＳＦＩは１つ又は複数のスロットにおける各スロットに含まれるアップリンクシンボルの数及びダウンリンクシンボルの数を指示することに用いられてもよく、又は、前記ＳＦＩは１つのスロットフォーマットインデックスであってもよく、前記スロットフォーマットインデックスは１つのスロットにおけるスロットフォーマットを指示することに用いられ、前記スロットフォーマットインデックスは１つの事前定義された又はネットワークによって設定されたスロットフォーマットテーブル由来であってもよく、又は、前記ＳＦＩは他の指示方式で１つのスロット又は複数のスロットにおける各スロットのスロットフォーマットを指示してもよく、本願の実施例では前記ＳＦＩの具体的な指示方式を限定しない。
【００５２】
以下、図３及び図４に示される具体例を参照して、ＢＷＰに基づいて対応するＳＦＩを設定する方式を詳細に説明する。
【００５３】
図３は異なるＢＷＰが異なるＳＦＩに対応する一例の模式図であり、該例では、ＢＷＰ１とＢＷＰ２は端末装置に対して設定した２つのＢＷＰであり、ここで、ＢＷＰ１とＢＷＰ２のサブキャリア間隔が同じであり、従って、ＢＷＰ１のスロット長さとＢＷＰ２のスロット長さが同じであり、ネットワーク装置はＢＷＰ１とＢＷＰ２をそれぞれ異なるＳＦＩに対応するように設定してもよい。例えば、ＢＷＰ１に対応するＳＦＩをＳＦＩ１として設定し、即ち、１つのスロット内に、ＢＷＰ１に３つのダウンリンクシンボル及び２つのアップリンクシンボルを設定し、ＢＷＰ２に対応するＳＦＩをＳＦＩ２として設定し、即ち、１つのスロット内に、ＢＷＰ２に６つのダウンリンクシンボル及び２つのアップリンクシンボルを設定する。
【００５４】
図４は異なるＢＷＰが異なるＳＦＩに対応する他の例の模式図であり、該例では、ＢＷＰ１とＢＷＰ２は前記端末装置に対して設定した２つのＢＷＰであり、ここで、ＢＷＰ１とＢＷＰ２のサブキャリア間隔が異なり、従って、ＢＷＰ１のスロット長さとＢＷＰ２のスロット長さが異なり、ＢＷＰ１のスロット長さがＢＷＰ２のスロット長さの２倍であることを例として、ネットワーク装置はＢＷＰ１及びＢＷＰ２をそれぞれ異なるＳＦＩに対応するように設定してもよい。例えば、ＢＷＰ１に対応するＳＦＩをＳＦＩ１として設定し、即ち、１つのスロット内に、ＢＷＰ１に３つのダウンリンクシンボル及び２つのアップリンクシンボルを設定し、ＢＷＰ２に対応するＳＦＩをＳＦＩ２及びＳＦＩ３として設定し、該ＳＦＩ２及びＳＦＩ３はそれぞれ２つのスロットのスロットフォーマットを指示することに用いられ、ＳＦＩ２は、２つのスロットのうち１番目のスロット内に、ＢＷＰ２に１０個のダウンリンクシンボル及び２つのアップリンクシンボルを設定することを指示することに用いられ、ＳＦＩ３は、２つのスロットのうち２番目のスロット内に、ＢＷＰ２に４つのダウンリンクシンボル及び４つのアップリンクシンボルを設定することを指示することに用いられる。
【００５５】
上記ＳＦＩ１、ＳＦＩ２及びＳＦＩ３のフォーマットは限定的なものではなく例示的であり、勿論、前記ネットワーク装置はＢＷＰ１とＢＷＰ２に同一のＳＦＩを設定してもよく、又はＢＷＰ１とＢＷＰ２で伝送されるサービスタイプ、サービスニーズ等の要素に応じて、対応するＳＦＩを確定してもよく、例えば、伝送されるのは遅延に敏感なサービスである場合、ＳＦＩにおけるダウンリンクシンボルの数が多いであると確定してもよく、又は伝送されるのは遅延に敏感でないサービスである場合、ＳＦＩにおけるダウンリンクシンボルの数が少ないであると確定してもよい。
【００５６】
従って、本願の実施例に係るデータ伝送方法によれば、ネットワーク装置は端末装置に対して設定した複数のＢＷＰに、それぞれ対応するＳＦＩを設定することができ、それにより前記端末装置は現在アクティベーションされているＢＷＰに基づいて、該ＢＷＰに対応するＳＦＩを確定でき、それにより該ＳＦＩに基づいてデータ伝送を行うことができる。
【００５７】
以上、図２〜図４を参照して、端末装置側から本願の実施例に係るデータ伝送方法を説明したが、以下、図５を参照して、ネットワーク装置側から本願の他の実施例に係るデータ伝送方法を詳細に説明する。理解されるべきように、ネットワーク装置側についての説明は端末装置側についての説明に対応し、類似の説明は上記説明を参照すればよく、重複を回避するために、ここでは繰り返して説明しない。
【００５８】
図５は本願の他の実施例に係るデータ伝送方法の模式的なフローチャートであり、図５に示すように、該方法５００は、
ネットワーク装置が、端末装置に対して設定した複数の帯域幅部分（ＢＷＰ）に、それぞれ対応するスロットフォーマットインジケータ（ＳＦＩ）を確定し、前記ＳＦＩは少なくとも１つのスロットにおけるスロットフォーマットを指示することに用いられるＳ５１０と、
前記ネットワーク装置が設定情報を前記端末装置に送信し、前記設定情報は複数のＢＷＰに、それぞれ対応するＳＦＩを設定することに用いられるＳ５２０と、を含む。
【００５９】
選択肢として、いくつかの実施例では、Ｓ５２０は具体的に、前記ネットワーク装置が、前記設定情報を含む無線リソース制御（ＲＲＣ）シグナリングを前記端末装置に送信することを含んでもよい。
【００６０】
以上、図４及び図５を参照して、本願の方法の実施例を詳細に説明したが、以下、図６〜図９を参照して、本願の装置の実施例を詳細に説明し、理解されるべきように、装置の実施例は方法の実施例に対応し、類似の説明は方法の実施例を参照すればよい。
【００６１】
図６は本願の実施例に係る端末装置６００の模式的なブロック図を示す。図６に示すように、該端末装置６００は、
ネットワーク装置から送信された設定情報を受信することに用いられ、前記設定情報は、前記端末装置に対して設定した複数の帯域幅部分（ＢＷＰ）に、それぞれ対応するスロットフォーマットインジケータ（ＳＦＩ）を設定することに用いられる通信モジュール６１０と、
前記設定情報に基づいて、現在使用されているターゲットＳＦＩを確定することに用いられる確定モジュール６２０と、を備え、
前記通信モジュール６２０は更に、前記ターゲットＳＦＩに基づいてデータ伝送を行うことに用いられる。
【００６２】
選択肢として、いくつかの実施例では、前記確定モジュール６２０は具体的に、前記ネットワーク装置が現在アクティベーションしているＢＷＰに対応するＳＦＩを前記ターゲットＳＦＩとして確定する。
【００６３】
選択肢として、いくつかの実施例では、前記ターゲットＳＦＩは１つのスロットにおけるスロットフォーマットを指示することに用いられる。
【００６４】
選択肢として、いくつかの実施例では、前記通信モジュール６１０は更に、前記端末装置が、各スロット内に前記ターゲットＳＦＩに基づいて、データ伝送を行うことに用いられる。
【００６５】
選択肢として、いくつかの実施例では、前記ターゲットＳＦＩはＮ個のスロットのそれぞれのスロットフォーマットを指示することに用いられ、前記Ｎは１よりも大きい正の整数である。
【００６６】
選択肢として、いくつかの実施例では、前記通信モジュール６１０は更に、Ｎ個のスロットごとにおいて、前記Ｎ個のスロットのそれぞれに対応するスロットフォーマットに基づいてデータ伝送を行うことに用いられる。
【００６７】
選択肢として、いくつかの実施例では、前記通信モジュール６１０は具体的に、前記ネットワーク装置から送信された、前記設定情報を含む無線リソース制御（ＲＲＣ）シグナリングを受信することに用いられる。
【００６８】
理解されるべきように、本願の実施例に係る端末装置６００は本願の方法の実施例における端末装置に対応でき、且つ端末装置６００における各ユニットの上記及び他の操作及び／又は機能は、それぞれ図２に示される方法２００における端末装置の対応するプロセスを実現し、簡潔さのために、ここでは繰り返して説明しない。
【００６９】
図７は本願の実施例に係るネットワーク装置７００の模式的なブロック図を示す。図７に示すように、該ネットワーク装置７００は、
端末装置に対して設定した複数の帯域幅部分（ＢＷＰ）に、それぞれ対応するスロットフォーマットインジケータ（ＳＦＩ）を確定することに用いられ、前記ＳＦＩは少なくとも１つのスロットにおけるスロットフォーマットを指示することに用いられる確定モジュール７１０と、
前記端末装置に設定情報を送信することに用いられ、前記設定情報は複数のＢＷＰに、それぞれ対応するＳＦＩを設定することに用いられる通信モジュール７２０と、を備える。
【００７０】
選択肢として、いくつかの実施例では、前記通信モジュール７２０は具体的に、前記設定情報を含む無線リソース制御（ＲＲＣ）シグナリングを前記端末装置に送信することに用いられる。
【００７１】
なお、本願の実施例に係るネットワーク装置７００は本願の方法の実施例におけるネットワーク装置に対応でき、且つネットワーク装置７００における各ユニットの上記及び他の操作及び／又は機能は、それぞれ図５に示される方法５００におけるネットワーク装置の対応するプロセスを実現し、簡潔さのために、ここでは繰り返して説明しない。
【００７２】
図８に示すように、本願の実施例は端末装置８００を更に提供し、該端末装置８００は図６における端末装置６００であってもよく、図２における方法２００に対応する端末装置の内容を実行することに用いられることができる。該端末装置８００は入力インタフェース８１０、出力インタフェース８２０、プロセッサ８３０及びメモリ８４０を備え、該入力インタフェース８１０、出力インタフェース８２０、プロセッサ８３０及びメモリ８４０はバスシステムによって接続されることができる。前記メモリ８４０はプログラム、命令又はコードを記憶することに用いられる。前記プロセッサ８３０は、前記メモリ８４０におけるプログラム、命令又はコードを実行して、入力インタフェース８１０による信号受信、出力インタフェース８２０による信号送信及び上記方法の実施例における操作の実行を制御することに用いられる。
【００７３】
理解されるべきように、本願の実施例では、該プロセッサ８３０は中央処理装置（Ｃｅｎｔｒａｌ  Ｐｒｏｃｅｓｓｉｎｇ  Ｕｎｉｔ、「ＣＰＵ」と略称）であってもよく、該プロセッサ８３０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジック装置、ディスクリートハードウェアユニット等であってもよい。汎用プロセッサはマイクロプロセッサであってもよく、又は該プロセッサは任意の通常のプロセッサ等であってもよい。
【００７４】
該メモリ８４０は読み出し専用メモリ及びランダムアクセスメモリを含んでもよく、プロセッサ８３０に命令及びデータを提供する。メモリ８４０の一部として、不揮発性ランダムアクセスメモリを更に含んでもよい。例えば、メモリ８４０は更にデバイスタイプの情報を記憶してもよい。
【００７５】
実現過程中、上記方法の各動作はプロセッサ８３０におけるハードウェアの集積論理回路又はソフトウェア形態の命令によって実行できる。本願の実施例を参照して開示されている方法の動作は直接にハードウェアプロセッサによって実行され、又はプロセッサにおけるハードウェア及びソフトウェアモジュールの組み合わせによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に位置してもよい。該記憶媒体はメモリ８４０に位置し、プロセッサ８３０はメモリ８４０における情報を読み取り、そのハードウェアと組み合わせて上記方法の内容を実行する。重複を回避するために、ここでは詳細説明を省略する。
【００７６】
具体的な実施形態では、図６に示される端末装置６００における通信モジュール６１０は図８の入力インタフェース８１０及び出力インタフェース８２０によって実現でき、図６に示される端末装置６００における確定モジュール６２０は図８のプロセッサ８３０によって実現できる。
【００７７】
図９に示すように、本願の実施例はネットワーク装置９００を更に提供し、該ネットワーク装置９００は図７におけるネットワーク装置７００であってもよく、図５における方法５００に対応するネットワーク装置の内容を実行することに用いられることができる。該ネットワーク装置９００は入力インタフェース９１０、出力インタフェース９２０、プロセッサ９３０及びメモリ９４０を備え、該入力インタフェース９１０、出力インタフェース９２０、プロセッサ９３０及びメモリ９４０はバスシステムによって接続されることができる。前記メモリ９４０はプログラム、命令又はコードを記憶することに用いられる。前記プロセッサ９３０は、前記メモリ９４０におけるプログラム、命令又はコードを実行して、入力インタフェース９１０による信号受信、出力インタフェース９２０による信号送信及び上記方法の実施例における操作の実行を制御することに用いられる。
【００７８】
なお、本願の実施例では、該プロセッサ９３０は中央処理装置（Ｃｅｎｔｒａｌ  Ｐｒｏｃｅｓｓｉｎｇ  Ｕｎｉｔ、「ＣＰＵ」と略称）であってもよく、該プロセッサ９３０は他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジック装置、ディスクリートハードウェアユニット等であってもよい。汎用プロセッサはマイクロプロセッサであってもよく、又は該プロセッサは任意の通常のプロセッサ等であってもよい。
【００７９】
該メモリ９４０は読み出し専用メモリ及びランダムアクセスメモリを含んでもよく、プロセッサ９３０に命令及びデータを提供する。メモリ９４０の一部として、不揮発性ランダムアクセスメモリを更に含んでもよい。例えば、メモリ９４０は更にデバイスタイプの情報を記憶してもよい。
【００８０】
実現過程中、上記方法の各動作はプロセッサ９３０におけるハードウェアの集積論理回路又はソフトウェア形態の命令によって実行できる。本願の実施例を参照して開示されている方法の動作は直接にハードウェアプロセッサによって実行され、又はプロセッサにおけるハードウェア及びソフトウェアモジュールの組み合わせによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に位置してもよい。該記憶媒体はメモリ９４０に位置し、プロセッサ９３０はメモリ９４０における情報を読み取り、そのハードウェアと組み合わせて上記方法の動作を実行する。重複を回避するために、ここでは詳細説明を省略する。
【００８１】
具体的な実施形態では、図７に示されるネットワーク装置７００における通信モジュール７２０は図９の入力インタフェース９１０及び出力インタフェース９２０によって実現でき、図７に示されるネットワーク装置７００における確定モジュール７１０は図９のプロセッサ９３０によって実現できる。
【００８２】
本願の実施例はコンピュータ可読記憶媒体を更に提供し、該コンピュータ可読記憶媒体は１つ又は複数のプログラムを記憶し、該１つ又は複数のプログラムは命令を含み、該命令が複数のアプリケーションプログラムを含む携帯型電子機器によって実行されると、該携帯型電子機器に、図２及び図５に示される実施例の方法を実行させる。
【００８３】
本願の実施例はコンピュータプログラムを更に提供し、該コンピュータプログラムは命令を含み、該コンピュータプログラムがコンピュータによって実行されると、コンピュータに図２及び図５に示される実施例の方法の対応するプロセスを実行させる。
【００８４】
理解されるべきように、本明細書では、用語「及び／又は」は単に関連対象の関連関係を説明するものであり、３種の関係が存在することを示し、例えば、Ａ及び／又はＢの場合、Ａのみが存在すること、ＡとＢが同時に存在すること、及びＢのみが存在することを示す。また、本明細書では、文字「／」は、一般には、前後の関連対象が「又は」の関係を有することを示す。
【００８５】
理解されるべきように、本願の各種の実施例では、上記各プロセスの番号は実行順序を示すものではなく、各プロセスの実行順序はその機能及び内部ロジックに応じて確定され、本願の実施例の実施過程を限定するものではない。
【００８６】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかそれともソフトウェアで実行するかは、技術案の特定の応用及び設計制約条件に応じて決められる。当業者は本願の範囲を逸脱せずに、説明された機能を各特定の応用に応じて異なる方法で実現できる。
【００８７】
当業者であれば、説明の便宜及び簡潔上、上記説明したシステム、装置及びユニットの具体的な動作プロセスは、上記方法の実施例の対応するプロセスを参照すればよいと理解できるため、ここでは繰り返して説明しない。
【００８８】
本願によるいくつかの実施例では、開示されているシステム、装置及び方法を他の形態で実現できると理解すべきである。例えば、以上説明された装置の実施例は単に例示的なものであり、例えば、前記ユニットの分割は、単に１種のロジック機能分割であり、実際の実装では他の分割方式を採用してもよく、例えば複数のユニット又は要素を他のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又は他の形態としてもよい。
【００８９】
前記分離部材として説明されたユニットは物理的に分離しているものであってもよく、物理的に分離しているものでなくてもよく、ユニットとして表示される部材は物理ユニットであってもよく物理ユニットでなくてもよく、即ち、１つの場所に位置してもよく、複数のネットワークユニットに分散してもよい。実際の必要に応じて一部又はすべてのユニットを選択して本実施例の技術案の目的を実現することができる。
【００９０】
また、本願の実施例の各々における各機能ユニットは１つの処理ユニットに集積されてもよく、別々に物理的に存在してもよく、２つ又は２つ以上のユニットは１つのユニットに集積されてもよい。
【００９１】
前記機能はソフトウェア機能ユニットの形態で実現され独立した製品として販売又は使用される場合、１つのコンピュータ可読記憶媒体に記憶されてもよい。このような理解に基づいて、本願の技術案は本質的に又は従来技術に貢献する部分又は該技術案の一部はソフトウェア製品の形態で実施され得ており、該コンピュータソフトウェア製品は１つの記憶媒体に記憶され、１つのコンピュータ装置（パーソナルコンピュータ、サーバ、又はネットワーク装置等）に本願の実施例の各々に係る方法の全て又は一部のステップを実行させるための複数の命令を含む。上記記憶媒体は、Ｕディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプロクラムコードを記憶可能な種々の媒体を含む。
【００９２】
以上は、本願の具体的な実施形態に過ぎず、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2021510945.tif 000003
【図２】
2021510945.tif 000004
【図３】
2021510945.tif 000005
【図４】
2021510945.tif 000006
【図５】
2021510945.tif 000007
【図６】
2021510945.tif 000008
【図７】
2021510945.tif 000009
【図８】
2021510945.tif 000010
【図９】
2021510945.tif 000011
【手続補正書】
【提出日】令和2年10月29日(2020.10.29)
【手続補正１】
【補正対象書類名】明細書
【補正対象項目名】００３１
【補正方法】変更
【補正の内容】
【００３１】
図１は本願の実施例に適用される無線通信システム１００を示す。該無線通信システム１００はネットワーク装置１１０を含み得る。ネットワーク装置１１０は端末装置と通信する装置であり得る。ネットワーク装置１１０は特定の地理的エリアに通信カバレッジを提供し、且つ該カバレッジエリア内に位置する端末装置（例えば、ＵＥ）と通信可能である。選択肢として、該ネットワーク装置１１０は、ＬＴＥシステムにおける発展型基地局（Ｅｖｏｌｕｔｉｏｎａｌ  Ｎｏｄｅ  Ｂ、ｅＮＢ又はｅＮｏｄｅＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク装置は中継局、アクセスポイント、車載装置、ウェアラブル装置、将来の５Ｇネットワークにおけるネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【手続補正２】
【補正対象書類名】特許請求の範囲
【補正対象項目名】全文
【補正方法】変更
【補正の内容】
【特許請求の範囲】
【請求項１】
端末装置はネットワーク装置から送信された設定情報を受信し、前記設定情報は、前記端末装置に対して設定した一つの又は複数の帯域幅部分（ＢＷＰ）に、対応する一つの又は複数のスロットフォーマットインジケータ（ＳＦＩ）を設定することに用いられることと、
前記端末装置は前記設定情報に基づいて、現在使用されているターゲットＳＦＩを確定することと、
前記端末装置は前記ターゲットＳＦＩに基づいてデータ伝送を行うことと、を含むことを特徴とするデータ伝送方法。
【請求項２】
前記ターゲットＳＦＩは、現在アクティベーションしているＢＷＰに対応するＳＦＩであることを特徴とする請求項１に記載の方法。
【請求項３】
前記ターゲットＳＦＩは１つのスロットにおけるスロットフォーマットを指示することに用いられることを特徴とする請求項１又は２に記載の方法。
【請求項４】
前記端末装置が前記ターゲットＳＦＩに基づいてデータ伝送を行うことは、
前記端末装置が、各スロット内に対応するターゲットＳＦＩに基づいて、データ伝送を行うことを含むことを特徴とする請求項３に記載の方法。
【請求項５】
前記ターゲットＳＦＩはＮ個のスロットにおける対応するスロットのスロットフォーマットを指示することに用いられ、前記Ｎは１よりも大きい正の整数であることを特徴とする請求項１又は２に記載の方法。
【請求項６】
前記端末装置が前記ターゲットＳＦＩに基づいてデータ伝送を行うことは、
前記端末装置が、Ｎ個のスロットごとにおいて、前記Ｎ個のスロットのそれぞれに対応するスロットフォーマットに基づいてデータ伝送を行うことを含むことを特徴とする請求項５に記載の方法。
【請求項７】
前記端末装置がネットワーク装置から送信された設定情報を受信することは、
前記端末装置が前記ネットワーク装置から送信された、前記設定情報を含む無線リソース制御（ＲＲＣ）シグナリングを受信することを含むことを特徴とする請求項１〜６のいずれか一項に記載の方法。
【請求項８】
ネットワーク装置は、端末装置に対して設定した一つの又は複数の帯域幅部分（ＢＷＰ）に、対応する一つの又は複数のスロットフォーマットインジケータ（ＳＦＩ）を確定し、前記ＳＦＩは少なくとも１つのスロットにおけるスロットフォーマットを指示することに用いられることと、
前記ネットワーク装置は設定情報を前記端末装置に送信し、前記設定情報は前記一つの又は複数のＢＷＰに、それぞれ対応する前記一つの又は複数のＳＦＩを設定することに用いられることと、を含むことを特徴とするデータ伝送方法。
【請求項９】
前記ネットワーク装置が設定情報を前記端末装置に送信することは、
前記ネットワーク装置が、前記設定情報を含む無線リソース制御（ＲＲＣ）シグナリングを前記端末装置に送信することを含むことを特徴とする請求項８に記載の方法。
【請求項１０】
端末装置であって、
ネットワーク装置から送信された設定情報を受信することに用いられ、前記設定情報は、前記端末装置に対して設定した一つの又は複数の帯域幅部分（ＢＷＰ）に、対応する一つの又は複数のスロットフォーマットインジケータ（ＳＦＩ）を設定することに用いられる通信モジュールと、
前記設定情報に基づいて、現在使用されているターゲットＳＦＩを確定することに用いられる確定モジュールと、を備え、
前記通信モジュールは更に、前記ターゲットＳＦＩに基づいてデータ伝送を行うことに用いられることを特徴とする端末装置。
【請求項１１】
前記ターゲットＳＦＩは、現在アクティベーションしているＢＷＰに対応するＳＦＩであることを特徴とする請求項１０に記載の端末装置。
【請求項１２】
前記ターゲットＳＦＩは１つのスロットにおけるスロットフォーマットを指示することに用いられることを特徴とする請求項１０又は１１に記載の端末装置。
【請求項１３】
前記通信モジュールは更に、
前記端末装置が、各スロット内に対応するターゲットＳＦＩに基づいて、データ伝送を行うことに用いられることを特徴とする請求項１２に記載の端末装置。
【請求項１４】
前記ターゲットＳＦＩはＮ個のスロットにおける対応するスロットのスロットフォーマットを指示することに用いられ、前記Ｎは１よりも大きい正の整数であることを特徴とする請求項１０又は１１に記載の端末装置。
【請求項１５】
ネットワーク装置であって、
端末装置に対して設定した一つの又は複数の帯域幅部分（ＢＷＰ）に対応する一つの又は複数のスロットフォーマットインジケータ（ＳＦＩ）を確定することに用いられ、前記ＳＦＩは少なくとも１つのスロットにおけるスロットフォーマットを指示することに用いられる確定モジュールと、
前記端末装置に設定情報を送信することに用いられ、前記設定情報は前記一つの又は複数のＢＷＰに、それぞれ対応する前記一つの又は複数のＳＦＩを設定することに用いられる通信モジュールと、を備えることを特徴とするネットワーク装置。
【国際調査報告】
2021510945.tif 000012
2021510945.tif 000013
2021510945.tif 000014
2021510945.tif 000015